(57)【要約】【課題】短時間で輝度（照度）が変化するような環境においても、テレビ電話処理の優位性が損なうことなく、テレビ電話処理から音声通話処理に切り替えることができる携帯電話端末を提供すること。【解決手段】本発明の携帯電話機は、実行部と、取得部と、比較部と、を具備している。実行部は、ユーザと相手先により音声通話が可能な音声通話処理、又は、ユーザと相手先によりテレビ電話が可能なテレビ電話処理を実行する。取得部は、周囲環境の明るさを表す照度値を取得する。比較部は、照度値と設定照度値とを比較する。実行部は、テレビ電話処理を実行しているときに、所定期間において照度値が設定照度値よりも低い場合、テレビ電話処理から音声通話処理に自動的に切り替える。【選択図】図２
2010109758.tif 000002
【特許請求の範囲】
【請求項１】
ユーザと相手先により音声通話が可能な音声通話処理、又は、前記ユーザと前記相手先によりテレビ電話が可能なテレビ電話処理を実行する実行部と、
周囲環境の明るさを表す照度値を取得する取得部と、
前記照度値と設定照度値とを比較する比較部と、
を具備し、
前記実行部は、前記テレビ電話処理を実行しているときに、所定期間において前記照度値が前記設定照度値よりも低い場合、前記テレビ電話処理から前記音声通話処理に自動的に切り替える、
携帯電話機。
【請求項２】
前記ユーザ又は物体を撮影して画像データを生成するカメラ、
を更に具備し、
前記実行部は、前記テレビ電話処理において、前記カメラからの前記画像データを無線により前記相手先に送信し、
前記取得部は、前記カメラからの前記画像データが表す照度の平均値を算出し、前記照度値として取得する、
請求項１に記載の携帯電話機。
【請求項３】
前記周囲環境の明るさを測定し、その照度を出力する照度センサー、
を更に具備し、
前記取得部は、
前記照度センサーからの照度を前記照度値として取得する、
請求項１に記載の携帯電話機。
【請求項４】
前記テレビ電話処理が実行されているときに、所定期間において前記照度値が前記設定照度値よりも低い場合、実行中の処理が前記テレビ電話処理から前記音声通話処理に自動的に切り替えられる旨を前記ユーザに通知する通知部、
を更に具備する請求項１〜３のいずれかに記載の携帯電話機。
【請求項５】
前記テレビ電話処理から前記音声通話処理への切り替えを自動的に行う旨を表す第１設定情報、又は、前記ユーザが自ら行う旨を表す第２設定情報が設定された設定部、
を更に具備し、
前記第１又は２設定情報は、前記ユーザにより変更可能であり、
前記テレビ電話処理が実行されているときに、所定期間において前記照度値が前記設定照度値よりも低く、前記第１設定情報が設定されている場合、
前記通知部は、実行中の処理が前記テレビ電話処理から前記音声通話処理に自動的に切り替えられる旨を前記ユーザに通知し、
前記実行部は、前記テレビ電話処理から前記音声通話処理に自動的に切り替える、
請求項４に記載の携帯電話機。
【請求項６】
前記テレビ電話処理から前記音声通話処理への切り替えを前記ユーザが自ら行うための切替スイッチ、
を更に具備し、
前記テレビ電話処理が実行されているときに、所定期間において前記照度値が前記設定照度値よりも低く、前記第２設定情報が設定されている場合、
前記通知部は、前記テレビ電話処理から前記音声通話処理への切り替えを前記切替スイッチにより行う旨を前記ユーザに通知し、
前記実行部は、前記ユーザによる前記切替スイッチの操作に応じて、前記テレビ電話処理から前記音声通話処理に切り替える、
請求項５に記載の携帯電話機。
【請求項７】
前記所定期間を表す情報が格納された記憶装置、
を更に具備し、
前記所定期間は、前記ユーザにより変更可能である、
請求項１〜６のいずれかに記載の携帯電話機。
【請求項８】
前記設定照度値を表す情報が格納された設定記憶部、
を更に具備し、
前記設定照度値は、前記ユーザにより変更可能である、
請求項１〜７のいずれかに記載の携帯電話機。
【請求項９】
前記所定期間は、Ｍ（Ｍは任意の正数）とＮ（Ｎは２以上の整数）との乗算で表され、
前記比較部は、Ｍ秒間隔で前記照度値と前記設定照度値とを比較し、
その比較の結果がＮ回とも前記照度値が前記設定照度値よりも低い場合、前記実行部は、前記テレビ電話処理から前記音声通話処理に切り替える、
請求項１〜８のいずれかに記載の携帯電話機。
【請求項１０】
ユーザと相手先により音声通話が可能な音声通話処理、又は、前記ユーザと前記相手先によりテレビ電話が可能なテレビ電話処理を実行するステップと、
周囲環境の明るさを表す照度値を取得するステップと、
前記照度値と設定照度値とを比較するステップと、
前記テレビ電話処理を実行しているときに、所定期間において前記照度値が前記設定照度値よりも低い場合、前記テレビ電話処理から前記音声通話処理に自動的に切り替えるステップと、
を具備する携帯電話機の通信方法。
【請求項１１】
前記テレビ電話処理において、
カメラにより撮影された前記ユーザ又は物体を表す画像データを無線により前記相手先に送信するステップ、
を更に具備し、
前記照度値を取得するステップは、
前記画像データが表す照度の平均値を算出し、前記照度値として取得するステップ、
を含む請求項１０に記載の携帯電話機の通信方法。
【請求項１２】
前記照度値を取得するステップは、
前記照度センサーにより測定された前記周囲環境の明るさを表す照度を前記照度値として取得するステップ、
を含む請求項１０に記載の携帯電話機の通信方法。
【請求項１３】
前記テレビ電話処理が実行されているときに、所定期間において前記照度値が前記設定照度値よりも低い場合、実行中の処理が前記テレビ電話処理から前記音声通話処理に自動的に切り替えられる旨を前記ユーザに通知するステップ、
を更に具備する請求項１０〜１２のいずれかに記載の携帯電話機の通信方法。
【請求項１４】
前記ユーザの指示により、前記テレビ電話処理から前記音声通話処理への切り替えを自動的に行う旨を表す第１設定情報、又は、前記ユーザが自ら行う旨を表す第２設定情報を設定するステップ、
を更に具備し、
前記テレビ電話処理から前記音声通話処理に自動的に切り替えるステップは、
前記テレビ電話処理が実行されているときに、所定期間において前記照度値が前記設定照度値よりも低く、前記第１設定情報が設定されている場合、
実行中の処理が前記テレビ電話処理から前記音声通話処理に自動的に切り替えられる旨を前記ユーザに通知するステップと、
前記テレビ電話処理から前記音声通話処理に自動的に切り替えるステップと、
を含む請求項１３に記載の携帯電話機の通信方法。
【請求項１５】
前記テレビ電話処理が実行されているときに、所定期間において前記照度値が前記設定照度値よりも低く、前記第２設定情報が設定されている場合、
前記テレビ電話処理から前記音声通話処理への切り替えを切替スイッチにより行う旨を前記ユーザに通知するステップと、
前記ユーザによる前記切替スイッチの操作に応じて、前記テレビ電話処理から前記音声通話処理に切り替えるステップと、
を更に具備する請求項１４に記載の携帯電話機の通信方法。
【請求項１６】
前記所定期間を表す情報は記憶装置に格納され、
を更に具備し、
前記所定期間は、前記ユーザにより変更可能である、
請求項１０〜１５のいずれかに記載の携帯電話機の通信方法。
【請求項１７】
前記設定照度値を表す情報は設定記憶部に格納され、
を更に具備し、
前記設定照度値は、前記ユーザにより変更可能である、
請求項１０〜１６のいずれかに記載の携帯電話機の通信方法。
【請求項１８】
前記所定期間は、Ｍ（Ｍは任意の正数）とＮ（Ｎは２以上の整数）との乗算で表され、
Ｍ秒間隔で前記照度値と前記設定照度値とが比較され、
その比較の結果がＮ回とも前記照度値が前記設定照度値よりも低い場合、前記テレビ電話処理から前記音声通話処理に切り替えられる、
請求項１０〜１７のいずれかに記載の携帯電話機の通信方法。
【請求項１９】
請求項１０〜１８のいずれかに記載の携帯電話機の通信方法の各ステップをコンピュータに実行させるコンピュータプログラム。
【発明の詳細な説明】
【技術分野】
【０００１】
本発明は、音声通話、テレビ電話が可能な携帯電話機に関する。
【背景技術】
【０００２】
ユーザと相手先により音声通話が可能な音声通話処理、又は、ユーザと相手先によりテレビ電話が可能なテレビ電話処理を実行する携帯電話機が普及されている。
【０００３】
テレビ電話処理は、音声通話処理に対する優位性として、相手先の顔色を伺いながらコミュニケーションをとることや、言葉では伝えにくいニュアンスを画像により伝えることにある。
【０００４】
その反面、テレビ電話処理は、一般に、通話料金などの料金体系において音声通話処理よりも高額になることが多い。そのため、テレビ電話処理の優位性が損なわれる場合は、音声通話処理により通話が行われることが好ましい。
【０００５】
そこで、ユーザは、テレビ電話処理の優位性が損なわれると自ら判断した場合に、ユーザの操作により、手動でテレビ電話処理から音声通話処理に切り替えている。このように、テレビ電話処理から音声通話処理に切り替えるときのトリガとしては、手動によるものが一般的である。
【０００６】
特開２００６−１９１１７４号公報に記載された技術では、カメラからの画像データが表す輝度と設定輝度とを比較することにより、テレビ電話処理の優位性が損なわれるか否かを自動的に判断している。この技術では、画像データが表す輝度が設定輝度よりも低い場合に、テレビ電話処理から音声通話処理に自動的に切り替えている。
【０００７】
【特許文献１】特開２００６−１９１１７４号公報
【発明の開示】
【発明が解決しようとする課題】
【０００８】
特開２００６−１９１１７４号公報に記載された技術では、第１の時刻に、画像データが表す輝度が設定輝度よりも低く、第１の時刻の後の第２の時刻に、画像データが表す輝度が設定輝度以上であっても、第１の時刻にテレビ電話処理から音声通話処理に切り替えてしまう。例えば、たまたま日が射さなくなったり、たまたま照明が消されたりしたときのように、短時間で輝度（照度）が変化するような環境においても、特開２００６−１９１１７４号公報に記載された技術では、テレビ電話処理から音声通話処理に切り替えてしまうため、テレビ電話処理の優位性が損なってしまう。
【０００９】
したがって、本発明の課題は、短時間で輝度（照度）が変化するような環境においても、テレビ電話処理の優位性が損なうことなく、テレビ電話処理から音声通話処理に切り替えることができる携帯電話端末を提供することにある。
【課題を解決するための手段】
【００１０】
本発明の携帯電話機は、実行部と、取得部と、比較部と、を具備している。実行部は、ユーザと相手先により音声通話が可能な音声通話処理、又は、ユーザと相手先によりテレビ電話が可能なテレビ電話処理を実行する。取得部は、周囲環境の明るさを表す照度値を取得する。比較部は、照度値と設定照度値とを比較する。実行部は、テレビ電話処理を実行しているときに、所定期間において照度値が設定照度値よりも低い場合、テレビ電話処理から音声通話処理に自動的に切り替える。
【発明の効果】
【００１１】
本発明の携帯電話機によれば、所定期間において照度値が設定照度値よりも低い場合、テレビ電話処理から音声通話処理に自動的に切り替えている。これにより、例えば、たまたま日が射さなくなったり、たまたま照明が消されたりしたときのように、短時間で輝度（照度）が変化するような環境においても、テレビ電話処理の優位性が損なうことなく、テレビ電話処理から音声通話処理に切り替えることができる。これにより、ユーザへの利便性を向上させることができる。
【００１２】
本発明の携帯電話機によれば、照度値と設定照度値とを比較することにより、テレビ電話処理の優位性が損なわれるか否かを判断している。そこで、所定期間において照度値が設定照度値よりも低い場合、テレビ電話処理から音声通話処理に自動的に切り替えることにより、ユーザに対する料金的負担を軽減することができる。これにより、ユーザへの利便性を更に向上させることができる。
【発明を実施するための最良の形態】
【００１３】
以下に添付図面を参照して、本発明の実施形態による携帯電話機について詳細に説明する。
【００１４】
（第１実施形態）
［構成］
図１は、本発明の第１実施形態による携帯電話機の構成を示している。本発明の第１実施形態による携帯電話機は、データ処理装置１と、記憶装置２と、入力装置３と、出力装置４と、無線装置５と、を具備している。記憶装置２、入力装置３、出力装置４、無線装置５は、データ処理装置１に接続されている。
【００１５】
入力装置３は、ユーザがキー操作を行うためのキーボード３１と、マイク３２と、カメラ３３と、を備えている。キーボード３１は、切替スイッチ３１ａを備えている。切替スイッチ３１ａは、音声通話処理からテレビ電話処理への切り替えや、テレビ電話処理から音声通話処理への切り替えをユーザが自ら行うときに用いられる。
【００１６】
出力装置４は、液晶表示部４１（以下、表示部４１）と、レシーバー４２と、を備えている。
【００１７】
無線装置５は、アンテナ５２と、アンテナ５２に接続された無線部５１と、を備えている。
【００１８】
本発明の第１実施形態による携帯電話機は、音声通話処理又はテレビ電話処理を実行するコンピュータであり、データ処理装置１としては、ＣＰＵ（Ｃｅｎｔｒａｌ  Ｐｒｏｃｅｓｓｉｎｇ  Ｕｎｉｔ）が挙げられる。記憶装置２には、コンピュータプログラム２２が格納され、データ処理装置１は、そのコンピュータプログラム２２を実行する。
【００１９】
コンピュータプログラム２２は、実行部１１、取得部１２、比較部１３、設定部１４、通知部１５を含んでいる。実行部１１、取得部１２、比較部１３、通知部１５の動作については後述する。設定部１４は、フラグを設定するためのレジスタやメモリに対応する。設定部１４には、上記のフラグとして、テレビ電話処理から音声通話処理への切り替えを自動的に行う旨を表す第１設定情報、又は、ユーザが自ら行う旨を表す第２設定情報が設定されている。第１又は２設定情報は、ユーザにより決められている。
【００２０】
記憶装置２は、設定記憶部２１を備えている。設定記憶部２１には、後述の設定照度値、所定時間を表す情報が格納されている。設定照度値、所定時間は、ユーザにより又は予め決められている。
【００２１】
［事前処理］
ユーザは、切替スイッチ３１ａを操作して、第１又は２設定情報を指示するための情報設定指示を行う。実行部１１は、情報設定指示に応じて、第１又は２設定情報を設定部１４に設定する。
【００２２】
また、設定照度値は、ユーザにより決定してもよい。この場合、ユーザは、キーボード３１を操作して、所望の照度値を設定照度値とする値変更指示を行う。実行部１１は、値変更指示に応じて、設定記憶部２１に格納されている設定照度値を所望の照度値に変更し、それを設定照度値とする。
【００２３】
また、所定時間は、ユーザにより決定してもよい。この場合、ユーザは、キーボード３１を操作して、所望の時間を所定時間とする時間変更指示を行う。実行部１１は、時間変更指示に応じて、設定記憶部２１に格納されている所定時間を所望の時間に変更し、それを所定時間とする。
【００２４】
［音声通話処理］
本発明の第１実施形態による携帯電話機では、通常の携帯電話機と同様に、ユーザが相手先に電話をかける場合や、相手先から発呼がある場合、ユーザと相手先により音声通話が可能な音声通話処理を実行する。この場合、実行部１１は、音声通話処理を実行するために、入力装置３、出力装置４、無線装置５を制御する。
【００２５】
マイク３２は、ユーザの音声を収集する。実行部１１は、マイク３２からのユーザの音声を音声信号に変換し、無線により無線装置５から基地局を介して相手先の電話機に送信する。
【００２６】
実行部１１は、相手先の電話機から基地局を介して送信される音声信号を無線装置５により受信し、相手先の音声に変換してレシーバー４２に出力する。レシーバー４２は、実行部１１からの相手先の音声を外部に出力する。
【００２７】
［テレビ電話処理］
本発明の第１実施形態による携帯電話機では、ユーザが相手先に電話をかける場合や、相手先から発呼がある場合、その携帯電話機をテレビ電話として利用することができる。この場合、ユーザと相手先によりテレビ電話が可能なテレビ電話処理を実行する。実行部１１は、テレビ電話処理を実行するために、入力装置３、出力装置４、無線装置５を制御する。
【００２８】
マイク３２は、ユーザの音声を収集する。カメラ３３は、ユーザ又は物体を撮影して画像データを生成する。実行部１１は、マイク３２からのユーザの音声を音声信号に変換し、カメラ３３からの画像データと共に無線により無線装置５から基地局を介して相手先の電話機に送信する。
【００２９】
実行部１１は、相手先の電話機から基地局を介して送信される音声信号及び相手先画像データを無線装置５により受信する。実行部１１は、相手先からの音声信号を相手先の音声に変換してレシーバー４２に出力し、相手先からの相手先画像データを表示部４１に出力する。レシーバー４２は、実行部１１からの相手先の音声を外部に出力する。表示部４１は、相手先からの相手先画像データを表示する。
【００３０】
［動作］
図２は、本発明の第１実施形態による携帯電話機の動作を示すフローチャートである。
【００３１】
まず、実行部１１は、上述の音声通話処理又はテレビ電話処理を実行する。取得部１２は、実行部１１が音声通話処理（ステップＳ１−ＮＯ）を実行しているか、テレビ電話処理（ステップＳ１−ＹＥＳ）を実行しているか、を監視する。
【００３２】
ここで、音声通話処理（ステップＳ１−ＮＯ）が実行されているものとする。この場合、取得部１２は、音声通話処理の実行が終了するまで、又は、ユーザが切替スイッチ３１ａを操作して音声通話処理からテレビ電話処理への切り替えられるまで、実行部１１を監視する。
【００３３】
一方、テレビ電話処理（ステップＳ１−ＹＥＳ）が実行されているものとする。このとき、取得部１２は、周囲環境の明るさを表す照度値を取得する。この場合、取得部１２は、カメラ３３から画像データを取得する（ステップＳ２）。取得部１２は、画像データが表す照度（輝度）の平均値を算出することにより、それを照度値として取得する（ステップＳ３）。
【００３４】
比較部１３は、照度値と、設定記憶部２１に格納された設定照度値と、を比較する（ステップＳ４）。
【００３５】
ここで、照度値が設定照度値以上であるものとする（ステップＳ４−ＮＯ）。この場合、取得部１２は、上述のステップＳ１を実行する。
【００３６】
一方、照度値が設定照度値よりも低いものとする（ステップＳ４−ＹＥＳ）。この場合、比較部１３は、所定期間が経過するまで照度値と設定照度値とを比較する（ステップＳ５−ＮＯ、Ｓ４）。
【００３７】
所定期間において照度値が設定照度値よりも低い場合（ステップＳ４−ＹＥＳ、Ｓ５−ＹＥＳ）、比較部１３は、モード切り替え指示を通知部１５、実行部１１に出力する。
【００３８】
例えば、所定期間は、Ｍ（Ｍは任意の正数）とＮ（Ｎは２以上の整数）との乗算で表される。この場合、比較部１３は、Ｍ秒間隔で照度値と設定照度値とを比較し（ステップＳ４）、その比較の結果がＮ回とも照度値が設定照度値よりも低い場合（ステップＳ４−ＹＥＳ、Ｓ５−ＹＥＳ）、モード切り替え指示を通知部１５、実行部１１に出力する。
【００３９】
ここで、設定部１４に第１設定情報が設定されているものとする（ステップＳ６−ＹＥＳ）。
【００４０】
この場合、通知部１５は、モード切り替え指示と第１設定情報とに応じて、実行中の処理がテレビ電話処理から音声通話処理に自動的に切り替えられる旨をユーザに通知する（ステップＳ７）。ステップＳ７において、通知部１５は、上記の旨として例えば「音声通話に切り替えます」を文字で表示部４１に表示することにより、ユーザに通知する。
【００４１】
同時に、実行部１１は、モード切り替え指示と第１設定情報とに応じて、テレビ電話処理から音声通話処理に自動的に切り替える（ステップＳ８）。
【００４２】
一方、設定部１４に第２設定情報が設定されているものとする（ステップＳ６−ＮＯ）。
【００４３】
この場合、通知部１５は、モード切り替え指示と第２設定情報とに応じて、テレビ電話処理から音声通話処理への切り替えを切替スイッチ３１ａにより行う旨をユーザに通知する（ステップＳ９）。ステップＳ９において、通知部１５は、上記の旨として例えば「切替スイッチにより音声通話に切り替えてください」を文字で表示部４１に表示することにより、ユーザに通知する。
【００４４】
実行部１１は、モード切り替え指示と、第２設定情報と、ユーザによる切替スイッチ３１ａの操作と、に応じて、テレビ電話処理から音声通話処理に切り替える（ステップＳ１０）。
【００４５】
［効果］
以上の説明により、本発明の第１実施形態による携帯電話機によれば、所定期間において照度値が設定照度値よりも低い場合、テレビ電話処理から音声通話処理に自動的に切り替えている。これにより、例えば、たまたま日が射さなくなったり、たまたま照明が消されたりしたときのように、短時間で輝度（照度）が変化するような環境においても、テレビ電話処理の優位性が損なうことなく、テレビ電話処理から音声通話処理に切り替えることができる。これにより、ユーザへの利便性を向上させることができる。
【００４６】
上述のように、所定期間は、Ｍ（Ｍは任意の正数）とＮ（Ｎは２以上の整数）との乗算で表される。この場合、本発明の第１実施形態による携帯電話機によれば、Ｍ秒間隔で照度値と設定照度値とを比較し、その比較の結果がＮ回とも照度値が設定照度値よりも低い場合、テレビ電話処理から音声通話処理に切り替える。上記のＭは、照度値を取得する精度により決定される。しかし、Ｎが１である場合では、即ち、特開２００６−１９１１７４号公報に記載された技術では、たまたま日が射さなくなったり、たまたま照明が消されたりしたときのように、短時間で照度が変化するような環境においても、テレビ電話処理から音声通話処理に切り替えてしまう。このため、テレビ電話処理の優位性が損なってしまう。一方、本発明の第１実施形態による携帯電話機によれば、Ｎを２以上とし、比較の結果がＮ回に満たない場合については、短時間で照度が変化するような環境であるものとする。また、比較の結果がＮ回を満たし、Ｎ回とも照度値が設定照度値よりも低い場合、テレビ電話処理から音声通話処理に切り替える。このため、短時間で照度が変化するような環境においても、テレビ電話処理の優位性が損なうことなく、テレビ電話処理から音声通話処理に切り替えることができる。
【００４７】
また、本発明の第１実施形態による携帯電話機によれば、照度値と設定照度値とを比較することにより、テレビ電話処理の優位性が損なわれるか否かを判断している。そこで、所定期間において照度値が設定照度値よりも低い場合、テレビ電話処理から音声通話処理に自動的に切り替えることにより、ユーザに対する料金的負担を軽減することができる。これにより、ユーザへの利便性を更に向上させることができる。
【００４８】
また、本発明の第１実施形態による携帯電話機によれば、テレビ電話処理から音声通話処理にモードが切り替わる旨をユーザに通知することにより、携帯電話機の故障ではなく、環境の変化によりモードが切り替わることをユーザに把握させることができる。また、ユーザは、事前処理において、テレビ電話処理から音声通話処理への切り替わりが自動であるのか手動（切替スイッチ３１ａによる操作）であるのかを表す情報を変更可能であるため、ユーザの好みの仕様（自動／手動）に設定することができる。これにより、ユーザへの利便性を更に向上させることができる。
【００４９】
また、本発明の第１実施形態による携帯電話機によれば、ユーザは、事前処理において、設定記憶部２１に格納された設定照度値、所定時間を表す情報を変更可能であるため、ユーザの好みの仕様（設定照度値、所定時間）に設定することができる。これにより、ユーザへの利便性を更に向上させることができる。
【００５０】
（第２実施形態）
本発明の第２実施形態による携帯電話機では、第１実施形態と重複する説明を省略する。
【００５１】
［構成］
図３は、本発明の第２実施形態による携帯電話機の構成を示している。本発明の第２実施形態による携帯電話機では、入力装置３は、更に、照度センサー３４を備えている。
【００５２】
［動作］
図４は、本発明の第２実施形態による携帯電話機の動作を示すフローチャートである。本発明の第２実施形態による携帯電話機では、第１実施形態におけるステップＳ２、Ｓ３に代えて、後述のステップＳ１２が実行される。
【００５３】
まず、実行部１１は、上述の音声通話処理又はテレビ電話処理を実行する。取得部１２は、実行部１１が音声通話処理（ステップＳ１−ＮＯ）を実行しているか、テレビ電話処理（ステップＳ１−ＹＥＳ）を実行しているか、を監視する。
【００５４】
ここで、音声通話処理（ステップＳ１−ＮＯ）が実行されているものとする。この場合、取得部１２は、音声通話処理の実行が終了するまで、又は、ユーザが切替スイッチ３１ａを操作して音声通話処理からテレビ電話処理への切り替えられるまで、実行部１１を監視する。
【００５５】
一方、テレビ電話処理（ステップＳ１−ＹＥＳ）が実行されているものとする。このとき、取得部１２は、周囲環境の明るさを表す照度値を取得する。この場合、取得部１２は、照度センサー３４に計測指示を出力し、照度センサー３４は、計測指示に応じて、周囲環境の明るさを測定し、その照度を出力する。取得部１２は、照度センサー３４からの照度を照度値として取得する（ステップＳ１２）。
【００５６】
ステップＳ４以降の処理については第１実施形態と同じである。
【００５７】
［効果］
第１実施形態では画像データを取得し、それに基づいて照度値を取得している。これに対して、本発明の第２実施形態による携帯電話機によれば、照度センサー３４により照度値を取得するだけでよいため、第１実施形態に対して、処理を簡略化できる。
【００５８】
なお、本発明では、上述の構成・動作に限定されない。本発明では、ステップＳ７とステップＳ８とが実行される順番を入れ替えてもよい。また、本発明では、テレビ電話が可能な携帯電話機であれば、折り畳み式、回転ヒンジ式、スライド式など、様々な形状の携帯電話機でも実現可能である。
【図面の簡単な説明】
【００５９】
【図１】図１は、本発明の第１実施形態による携帯電話機の構成を示している。
【図２】図２は、本発明の第１実施形態による携帯電話機の動作を示すフローチャートである。
【図３】図３は、本発明の第２実施形態による携帯電話機の構成を示している。
【図４】図４は、本発明の第２実施形態による携帯電話機の動作を示すフローチャートである。
【符号の説明】
【００６０】
１    データ処理装置、
２    記憶装置、
３    入力装置、
４    出力装置、
５    無線装置、
１１    実行部、
１２    取得部、
１３    比較部、
１４    設定部、
１５    通知部、
２１    設定記憶部、
２２    コンピュータプログラム、
３１    キーボード、
３１ａ  切替スイッチ、
３２    マイク、
３３    カメラ、
３４    照度センサー、
４１    液晶表示部（表示部）、
４２    レシーバー、
５１    無線部、
５２    アンテナ、
【図１】
2010109758.tif 000003
【図２】
2010109758.tif 000004
【図３】
2010109758.tif 000005
【図４】
2010109758.tif 000006